(57)【要約】【課題】鉄筋端部が露出した作業現場において低コストで安全性を確保できるようにする。【解決手段】鉄筋養生金物１０は、Ｕ字状に屈曲された鉄線からなるＵ型部材１２と、鉄板からなる平板状のプレート部材１４と、Ｕ型部材１２の脚部１２ａを取り囲むように設けられた螺旋状の保持用鉄線１６とを備える。鉄筋養生金物１０は、プレート部材１４が差し筋２０の端面に略垂直に保持され、かつ、横筋２２がプレート部材１４とＵ型部材１２の湾曲部１２ｃとの間に保持されるように、保持用鉄線１６が差し筋２０の端部に被せるように装着されることで、差し筋２０に取り付けられる。【選択図】      図３
2004316234.tif 000002
【特許請求の範囲】
【請求項１】
Ｕ字状に屈曲された鉄線からなるＵ型部材と、該Ｕ型部材の２本の脚部を螺旋状または環状に取り囲む保持用鉄線とを備えることを特徴とする鉄筋養生金物。
【請求項２】
２つの貫通孔を有する鉄製のプレート部材を更に備え、前記Ｕ型部材の２本の脚部は前記貫通孔に挿通され、前記プレート部材が鉄筋の端面に当該鉄筋に対して略垂直に保持された状態で、前記Ｕ型部材の２本の脚部が前記保持用鉄線により前記鉄筋に保持されることを特徴とする請求項１記載の鉄筋養生金物。
【請求項３】
前記プレート部材と前記Ｕ型部材のＵ字状屈曲部との間に横筋が保持されることを特徴とする請求項２記載の鉄筋養生金物。
【請求項４】
前記プレート部材は、当該鉄筋養生金物が取り付けられる鉄筋に接続されるべき鉄筋と干渉しない形状に構成されていることを特徴とする請求項２または３記載の鉄筋養生金物。
【発明の詳細な説明】
【０００１】
【発明の属する技術分野】
本発明は、差し筋などの鉄筋の端部に装着して、鉄筋端部が露出した作業現場での安全性を高めるための鉄筋養生金物に関する。
【０００２】
【従来の技術】
従来より、例えば特許文献１に開示される鉄筋養生キャップが知られている。この鉄筋養生キャップは鉄または鋳鉄製の素材により構成されており、鉄筋端部に嵌合固定される筒部と、この筒部の先端に一体に形成されたフランジ状の保護用頭部とを備えている。この鉄筋養生キャップを鉄筋端部に取り付けることで、保護用頭部によって作業者が鉄筋の端部に直接接触するのを防止でき、これにより、鉄筋端部が露出した作業現場での安全性を確保することができる。また、鉄筋養生キャップが鉄または鋳鉄製の素材により構成されているので、キャップを鉄筋端部に取り付けたままコンクリートに埋め殺しても、コンクリートの特性に悪影響を及ぼすことがなく、したがって、取り付けたキャップを鉄筋から一つ一つ取り外すことが不要になる。
【０００３】
【特許文献１】
特開２００１−１５２６７２号公報
【０００４】
【発明が解決しようとする課題】
上記従来の鉄筋養生キャップにおいて、保護用頭部は、鉄筋の継手を行えるように、円盤状の延長部を有する複雑な形状に構成されている。このため、保護用頭部の加工には手間が掛かり、その分、鉄筋養生キャップの単価は大きくなる。そして、上述の通り、鉄筋養生キャップは保護用頭部によって鉄筋端部の保護を図る構成であるので、鉄筋の一本ずつに取り付けなければならない。そのため、鉄筋の本数分だけ鉄筋養生キャップを用意しなければならず、しかも、それら鉄筋養生キャップをコンクリートに埋め殺してしまうことから、コストが増大してしまう。
【０００５】
本発明は上記の点に鑑みてなされたものであり、鉄筋端部が露出した作業現場において低コストで安全性を確保できるようにすることを目的とする。
【０００６】
【課題を解決するための手段】
上記の目的を達成するため、本発明の鉄筋養生金物は、Ｕ字状に屈曲された鉄線からなるＵ型部材と、該Ｕ型部材の２本の脚部を螺旋状または環状に取り囲む保持用鉄線とを備えることを特徴とする。
【０００７】
本発明によれば、鉄筋の端部に保持用鉄線を被せるようにしてＵ型部材を取り付けて、このＵ型部材のＵ字状屈曲部と鉄筋端面との間に横筋を保持することができる。この鉄筋により作業者が鉄筋端部に直接接触するのを防止できるので、安全性を確保することが可能となる。そして、鉄筋養生金物は、鉄線からなるＵ型部材および保持用鉄線で構成されるので、極めて安価である。したがって、本発明によれば、鉄筋端部が露出した作業現場において、低コストで安全性を確保することができる。
【０００８】
また、請求項２に記載された発明は、請求項１記載の鉄筋養生金物において、２つの貫通孔を有する鉄製のプレート部材を更に備え、前記Ｕ型部材の２本の脚部は前記貫通孔に挿通されており、前記プレート部材が鉄筋の端面に当該鉄筋に対して略垂直に保持された状態で、前記Ｕ型部材の２本の脚部が前記保持用鉄線により前記鉄筋に保持されることを特徴とする。
【０００９】
このようにすれば、プレート部材によって横筋をより安定に保持することができる。また、鉄筋養生金物を単独で使用した場合にも、プレート部材によって作業者が鉄筋端部に直接接触するのを防止できるので、安全性を確保することができる。
【００１０】
また、請求項３に記載された発明は、請求項２記載の鉄筋養生金物において、前記プレート部材と前記Ｕ型部材のＵ型屈曲部との間に横筋が保持されることを特徴とする。
【００１１】
このようにすれば、横方向に並んだ複数の鉄筋に対して、少なくとも両端の鉄筋に鉄筋養生金物を取り付け、それら金物により、横筋を上記複数の鉄筋の端面を横切るように保持することができる。この横筋によって、作業者が各鉄筋の端部に直接接触するのを防止できるので、より低コストで作業現場の安全性を確保することが可能となる。
【００１２】
また、請求項４に記載された発明は、請求項２または３記載の鉄筋養生金物において、前記プレート部材は、当該鉄筋養生金物が取り付けられる鉄筋に接続されるべき鉄筋と干渉しない形状に構成されていることを特徴とする。
【００１３】
なお、本願発明において、「鉄」とは、鋼、鋳鉄、その他の鉄系材料を意味するものである。
【００１４】
【発明の実施の形態】
図１および図２は、夫々、本発明の一実施形態である鉄筋養生金物１０の平面図および正面図である。また、図３は、鉄筋養生金物１０が差し筋２０の端部に取り付けられた状態を示す斜視図である。
【００１５】
図１〜図３に示す如く、鉄筋養生金物１０は、Ｕ字状に屈曲された鉄線からなるＵ型部材１２と、鉄板からなる平板状のプレート部材１４と、Ｕ型部材１２の脚部１２ａを取り囲むように設けられた螺旋状の保持用鉄線１６とを備えている。プレート部材１４には２つの貫通孔１４ａが設けられており、この貫通孔１４ａにＵ型部材１２の２本の脚部１２ａが挿通される。Ｕ型部材１２の脚部１２ａには、例えば鉄線の一部を押しつぶすことにより凸部１２ｂが形成されており、この凸部１２ｂにより、Ｕ型部材１２がプレート部材１４の貫通孔１４ａから抜けることが防止される。また、図１に示す如く、プレート部材１４は略矩形の鉄板の相対向する２つのコーナー部を切り取った形状を有しており、図１および図３に破線で示すように、この切り取り部分に鉄筋２１を配置することで、鉄筋養生金物１０が取り付けられた差し筋２０への継手を行えるようになっている。なお、プレート部材１４の形状はこれに限られるものではなく、要するに、差し筋２０に接続されるべき鉄筋と干渉しない形状であればよい。
【００１６】
なお、後述するように、鉄筋養生金物１０は横筋と共に使用される場合と、単独で使用される場合とがあり、図３には、横筋と共に使用される場合を示している。鉄筋養生金物１０が横筋と共に使用される場合は、Ｕ型部材１２は図２に破線で示す位置となり、単独で使用される場合にはＵ型部材１２は図２に実線で示す位置となる。
【００１７】
図３に示す如く、鉄筋養生金物１０は、プレート部材１４が差し筋２０の端面に差し筋２０に対して略垂直に保持され、かつ、横筋２２がプレート部材１４とＵ型部材１２の湾曲部１２ｃとの間に保持された状態で、保持用鉄線１６が差し筋２０の端部に被せられるように装着されることで、差し筋２０に取り付けられる。そして、結束線１８が保持用鉄線１６の上から差し筋２０の周囲に結束されることにより、Ｕ型部材１２が差し筋２０に確実に拘束される。
【００１８】
なお、本実施形態では、保持用鉄線１６はＵ型部材１２の脚部１２ａを螺旋状に取り囲むものとしているが、これに限らず、複数の環状の鉄線が脚部１２ａを取り囲む構成であってもよい。
【００１９】
図４は、横方向に並んだ複数本の差し筋２０の端部を本実施形態の鉄筋養生金物１０により保護した構成を示す斜視図である。同図の例では、両端の差し筋２０（同図中に符号２０Ａ，２０Ｂで示す）に対して、上記図３に示すように鉄筋養生金物１０が取り付けられている。横筋２２は、鉄筋養生金物１０により両端の差し筋２０Ａ，２０Ｂに保持されて、その中間の差し筋２０の端面上を横切るように延びている。これら中間部の各差し筋２０には、鉄筋養生金物１０を構成するＵ型部材１２が保持用鉄線１６によって取り付けられており、このＵ型部材１２により横筋２２が各差し筋２０に拘束されている。
【００２０】
以上説明したように、本実施形態によれば、鉄筋養生金物１０によって、横筋２２が差し筋２０の端面上を横切るように保持される。このため、作業者が上方から直接差し筋２０の端部に接触するのを防止でき、これにより、差し筋２０が露出した作業現場での安全性が向上する。また、鉄筋養生金物１０は全て鉄製であるため、鉄筋養生金物１０をコンクリートに埋め殺してもコンクリートの特性に悪影響を及ぼすことはなく、したがって、鉄筋養生金物１０の撤去は不要である。なお、鉄筋養生金物１０を取り付けた状態でプレート部材１４が差し筋２０から側方へ突き出るが、このプレート部材１４は平板状に構成されているので、鉄筋養生金物１０をコンクリートに埋め殺しても、プレート部材１４の下側に空洞が生ずることはない。
【００２１】
また、図４に示すように、横方向に並んだ複数の差し筋のうち、両端の差し筋２０Ａ，２０Ｂについてのみ、プレート部材１４を含んだ鉄筋養生金物１０を取り付ければよく、その中間の差し筋２０については、極めて安価なＵ型部材１２および保持用鉄線１６を取り付けるだけで済む。したがって、本実施形態によれば、差し筋２０が露出した作業現場において低コストで安全性を確保することができる。
【００２２】
なお、上記図４では、両端の差し筋２０Ａ，２０Ｂにのみプレート部材１４を含んだ鉄筋養生金物１０を取り付けるものとしているが、例えば横筋２２が長い場合などには、適宜、中間の差し筋２０に鉄筋養生金物１０を取り付けてもよい。
【００２３】
また、上記実施形態では、横筋２２を差し筋２０の端面に安定に保持できるようにプレート部材１４を設けた構成としているが、例えば差し筋２０の径が大きい場合に、プレート部材１４がなくても横筋２０を安定に保持できるのであれば、プレート部材１４を省略してもよい。
【００２４】
ところで、上記の実施形態では、鉄筋養生金物１０が横筋２２と共に使用された場合について説明したが、鉄筋養生金物１０を単独で使用することも可能である。図５は、鉄筋養生金物１０が単独で使用される状態を示す斜視図である。同図に示すように、鉄筋養生金物１０が単独で使用される場合は、Ｕ型部材１２によりプレート部材１４を直接、差し筋２０の端面に拘束する。このように鉄筋養生金物１０が単独で使用される場合にも、プレート部材１４が保護キャップの役割を果たし、作業者が差し筋２０の端部に接触するのを防止できるので、安全性を確保することができる。
【００２５】
【発明の効果】
本発明の鉄筋養生金物によれば、鉄筋端部が露出した作業現場において低コストで安全性を確保することができる。
【図面の簡単な説明】
【図１】本発明の一実施形態である鉄筋養生金物の平面図である。
【図２】本実施形態の鉄筋養生金物の正面図である。
【図３】本実施形態の鉄筋養生金物が差し筋の端部に取り付けられた状態を示す斜視図である。
【図４】横方向に並んだ複数本の差し筋２０の端部を本実施形態の鉄筋養生金物１０により保護した構成を示す斜視図である。
【図５】本実施形態の鉄筋養生金物が単独で使用される状態を示す斜視図である。
【符号の説明】
１０  鉄筋養生金物
１２  Ｕ型部材
１４  プレート部材
１６  保持用鉄線
１８  結束線
２０  差し筋
２２  横筋
【図１】
2004316234.tif 000003
【図２】
2004316234.tif 000004
【図３】
2004316234.tif 000005
【図４】
2004316234.tif 000006
【図５】
2004316234.tif 000007